(57)【要約】【課題】異音の発生を小さくして、振動を少なくする。【解決手段】シート搬送装置１５０は、原稿を挟持し、かつ分離ローラ軸１によって回転して原稿を搬送する分離ローラ及び逆転ローラと、分離ローラ軸に接触して分離ローラ軸に設けた分離ローラ１１４を逆転ローラ１１５に押圧する方向に押圧し、分離ローラ軸１をアースするアース板５と、分離ローラ軸に回転力を伝達するアイドラ軸４と、このアイドラ軸とアース板との間に設けられてアイドラ軸がスラスト方向へ移動するのを規制する溝４ａ及び引っ掛け片５ｂと、を備えている。【選択図】　　　図３
2004115165.tif 000002
【特許請求の範囲】
【請求項１】
シートを挟持し、かつ回転軸によって回転して前記シートを搬送する１対の搬送回転体と、
前記回転軸に接触して該回転軸に設けた搬送回転体を他方の搬送回転体に押圧する方向に押圧し、該回転軸をアースするアース部材と、
前記回転軸に回転力を伝達する駆動軸と、
前記駆動軸と前記アース部材との間に設けられて前記駆動軸がスラスト方向へ移動するのを規制する規制手段と、
を備えたことを特徴とするシート搬送装置。
【請求項２】
前記回転軸と前記駆動軸と前記アース部材とを設けられたフレームを備え、前記フレームは、搬送される前記シートを案内する案内路の片側の案内壁を有していることを特徴とする請求項１に記載のシート搬送装置。
【請求項３】
前記アース部材は、前記回転軸に接触する部分に半球形状の突部を有していることを特徴とする請求項１又は２に記載のシート搬送装置。
【請求項４】
前記突部は、複数形成されていることを特徴とする請求項３に記載のシート搬送装置。
【請求項５】
前記１対の回転体は、重なったシートを搬送するとき、いずれか一方の回転体がシートを逆送する方向に回転して前記重なったシートを分離搬送することを特徴とする請求項１に記載のシート搬送装置。
【請求項６】
請求項１乃至５のいずれか１項に記載のシート搬送装置と、前記シート搬送装置によって搬送されたシートの画像を読み取る画像読取手段と、
を備えたことを特徴とする画像読取装置。
【発明の詳細な説明】
【０００１】
【発明の属する技術分野】
本発明は、シートを搬送するシート搬送装置、搬送ローラをアースしたシート搬送装置と、このシート搬送装置を備えた画像読取装置とに関する。
【０００２】
【従来の技術】
従来、シートに形成してある画像を読み取る画像読取装置や、シートに画像を形成する画像形成装置は、シートを搬送するシート搬送装置を有している。画像読取装置には、例えば、ファクシミリ、スキャナ及びこれらの複合機等がある。画像形成装置には、例えば、ファクシミリ、複写機、プリンタ等がある。ファクシミリは、シート（例えば、原稿）の画像を読み取ってその画像を送信し、かつ他のファクシミリから送信されてきた画像をシートに形成するようになっている。このため、ファクシミリは、いわゆる、画像読取装置と画像形成装置との複合機である。
【０００３】
一方、画像読取装置、画像形成装置、及び上記複合機に組み込まれて、シートを搬送するシート搬送装置は、シートを搬送する搬送回転体である例えば搬送ローラをアースしてある場合がある。これは、搬送ローラに静電気が帯びると、ノイズの原因になるからである。ファクシミリの場合、静電気の影響を受けると、シートの画像を読み取った電気信号に乱れが生じて、画像を正確に読み取ることができないことがある。
【０００４】
従来のシート搬送装置において、搬送ローラをアースするには、組み立て時において、フレームにアース板を取り付けてから搬送ローラの回転軸を組み付けて、回転軸にアース板を接触させるか、あるいは、フレームに搬送ローラを組み付けてから搬送ローラの回転軸端部にアース板を接触させるかしている。
【０００５】
また、搬送ローラの回転軸に、例えば歯車を介して回転力を伝達する駆動軸は、フレームに直接設けてから歯車を取り付けるか、あるいは、支持板に駆動軸を設けてから駆動軸に歯車を設けてユニット化し、その後、支持板をフレームに設けて、駆動軸をフレームに設けていた。
【０００６】
【発明が解決しようとする課題】
しかし、従来のシート搬送装置は、アース板と搬送ローラの回転軸との接触圧の方向によっては、搬送ローラ対のニップをシートの後端が通過した後に、搬送ローラの回転軸と軸受との間のガタ、軸受とフレームとの間のガタにより異音が発生することがあった。
【０００７】
また、駆動軸をフレームに直接支持させている場合には、フレームと駆動軸を分解するには工具が必要でありフレームのリサイクルが困難であった。
【０００８】
また、駆動軸を支持板に結合させて駆動軸に歯車を取り付けたユニットを、フレームに組み込む場合には、組み立て性が悪く、組み立てに手間がかかり、その分、組み付け時のコストが高くなることがあった。
【０００９】
本発明は、異音の発生を小さくして、振動を少なくしたシート搬送装置を提供することを目的としている。
【００１０】
本発明は、リサイクル性に優れたシート搬送装置を提供することを目的としている。
【００１１】
本発明は、シート搬送装置を備えた画像読取装置を提供することを目的としている。
【００１２】
【課題を解決するための手段】
上記目的を達成するため、本発明のシート搬送装置は、シートを挟持し、かつ回転軸によって回転して前記シートを搬送する１対の搬送回転体と、前記回転軸に接触して該回転軸に設けた搬送回転体を他方の搬送回転体に押圧する方向に押圧し、該回転軸をアースするアース部材と、前記回転軸に回転力を伝達する駆動軸と、前記駆動軸と前記アース部材との間に設けられて前記駆動軸がスラスト方向へ移動するのを規制する規制手段と、を備えている。
【００１３】
本発明のシート搬送装置は、前記回転軸と前記駆動軸と前記アース部材とを設けられたフレームを備え、前記フレームは、搬送される前記シートを案内する案内路の片側の案内壁を有している。
【００１４】
本発明のシート搬送装置における、前記アース部材は、前記回転軸に接触する部分に半球形状の突部を有している。
【００１５】
本発明のシート搬送装置における、前記突部は、複数形成されている。
【００１６】
本発明のシート搬送装置における、前記１対の回転体は、重なったシートを搬送するとき、いずれか一方の回転体がシートを逆送する方向に回転して前記重なったシートを分離搬送するようになっている。
【００１７】
上記目的を達成するため、本発明の画像読取装置は、上記いずれか１つのシート搬送装置と、前記シート搬送装置によって搬送されたシートの画像を読み取る画像読取手段と、を備えている。
【００１８】
【発明の実施の形態】
本発明の実施形態のシート搬送装置と、このシート搬送装置を備えた画像読取装置である例えばファクシミリとを図１乃至図４に基づいて説明する。
【００１９】
図１は、本発明の実施形態のシート搬送装置を備えた画像読取装置である例えばファクシミリのシート搬送方向に沿った断面図である。図２は、図１のファクシミリの画像読取部のシート搬送方向に沿った断面図である。
【００２０】
ファクシミリ１００は、ファクシミリの装置本体１０１の上部に、画像読取部１０２を備えている。
【００２１】
装置本体１０１は、シートに画像を形成する画像形成部１０３と、画像形成部１０３の下部に位置して画像形成部１０３へ被記録紙であるシートを供給するカセット給紙部１０４とを備えている。
【００２２】
したがって、図１に示すファクシミリは、シートに形成してある画像を画像読取部１０２で読み取って、その画像情報を他のファクシミリに送受信部１２６で送信するようになっている。また、ファクシミリは、他のファクシミリから送られてきた、画像情報を送受信部１２６で受信して、画像形成部１０３でシートに画像を形成するようになっている。さらに、ファクシミリ１００は、画像読取部１０２で画像を読み取った画像情報に基づいて、画像形成部１０３でシートに画像を複写するようになっている。この場合、ファクシミリ１００は、複写機として機能することになる。
【００２３】
なお、以下、画像が形成されるシートを被記録紙と言い、符号をＰとする。また、画像が形成されたシートを原稿と言い、符号をＤとする。
【００２４】
本発明の実施形態のシート搬送装置１５０は、画像読取部１０２に設けてあるが、画像読取部１０２のみならず、画像形成部１０３、カセット給紙部１０４に設けてもよい。しかも、本実施形態のシート搬送装置１５０の構成は、画像読取部１０２、画像形成部１０３、及びカセット給紙部１０４のいずれの原稿、被記録紙を搬送するローラに適用することができる。
【００２５】
（ファクシミリ装置本体）
図１において、カセット給紙部１０４のピックアップローラ１２８は、カセット１２７内の被記録紙Ｐに下降して接触して、被記録紙をカセット１２７から送り出し、分離ローラ１２９と逆転ローラ１３０とのニップに送り込む。ニップに被記録紙を送り込んだピックアップローラ１２８は、次の被記録紙を送り出すため、上昇して待機する。分離ローラ１２９と逆転ローラ１３０は、ピックアップローラ１２８から受け取った被記録紙を搬送ローラ対１３１に搬送する。このとき、カセット１２７から被記録紙が重なって送り出されるようなことがあると、逆転ローラ１３０が逆転して、重なった被記録紙の下側の被記録紙をカセット１２７に逆送して、分離ローラ１２９が被記録紙を１枚だけ搬送する。
【００２６】
画像形成部１０３の搬送ローラ対１３１は、被記録紙Ｐをレジストローラ対１３２に送る。レジストローラ対１３２は、被記録紙が斜行している場合、真っ直ぐに矯正して感光体ドラム１３３と転写ローラ１３４との間に送り込む。
【００２７】
一方、感光体ドラム１３３は、帯電ローラ１３５によって帯電されて、送受信部１２６で受信された画像情報に基づいてレーザ変調部１３６によって露光され、潜像が形成される。現像器１３７は、潜像をトナー現像して、トナー画像にする。
【００２８】
転写ローラ１３４は、感光体ドラム１３３上のトナー画像を被記録紙に転写して、その被記録紙を定着器１３８に送り込む。定着器１３８は、被記録紙を加熱加圧して被記録紙にトナー画像を定着する。搬送ローラ対１３９と、排出ローラ対１４０は、被記録紙を搬送して、排出トレイ１４１に排出して積載する。
【００２９】
（画像読取部）
画像読取部の構成を説明する。
【００３０】
図２において、画像読取部１０２の原稿台１１１には、原稿Ｄがセットされるようになっている。原稿有無センサ１１２は、原稿台１１１にセットされた原稿Ｄを検知するようになっている。ピックアップローラ１１３は、原稿台１１１にセットされた原稿に対して不図示のアクチェータによって接離するようになっている。また、ピックアップローラ１１３は、原稿に接触し、かつ回転することによって原稿を原稿台１１１から画像読取部１０２内に送り込むようになっている。分離ローラ１１４と逆転ローラ１１５は、送り込まれた原稿を協働して１枚ずつに分離して搬送するようになっている。原稿フィードセンサ１１６は、分離された原稿の先端および後端を検知するようになっている。
【００３１】
上流搬送ローラ１１７は、分離された原稿をＵ字状の搬送路であるＵターンパス１１８へ搬送するようになっている。下流搬送ローラ１１９は、Ｕターン後の原稿をＣＩＳで構成した画像読取手段である例えば原稿読取部１２１へ搬送するようになっている。原稿エッジセンサ１２０は、原稿読取部１２１の原稿の読取開始、終了のタイミングを計るため、原稿の先端および後端を検知するようになっている。排紙ローラ１２４は、読み取りの終了した原稿を排紙トレイ１２５に排出するようになっている。
【００３２】
画像読取部の動作を説明する。
【００３３】
ユーザが原稿台１１１に原稿をセットして読取開始を指示すると、不図示の駆動モータにより、ピックアップローラ１１３、分離ローラ１１４、逆転ローラ１１５、上流搬送ローラ１１７、下流搬送ローラ１１９、及び排紙ローラ１２４が回転する。
【００３４】
ピックアップローラ１１３は、原稿に当接して原稿を画像読取部１０２の内部へ送り込む。分離ローラ１１４と逆転ローラ１１５は、原稿を受け取って搬送する。このとき、原稿が重なっていると、逆転ローラ１１５が逆転して、重なっている下側のシートを原稿台１１１に逆送して、分離ローラ１１４が正転して、重なっている上側のシートを１枚だけ上流搬送ローラ１１７へ搬送する。また、分離ローラ１１４の原稿搬送速度は、分離ローラ１１４と逆転ローラ１１５とが原稿を分離するとき、原稿に傷を付けないようにするため、及び、逆転ローラ１１５により原稿が搬送抵抗を受けるため、画像読取部全体の設定した原稿搬送速度よりも遅く設定してある。
【００３５】
原稿フィードセンサ１１６が原稿の先端を検知すると、ピックアップローラ１１３による原稿搬送が解除される。分離ローラ１１４と逆転ローラ１１５とによって分離された原稿は、設定した原稿搬送速度よりも速い周速で回転する上流搬送ローラ１１７によってＵターンパス１１８へ搬送される。上流搬送ローラ１１７の周速は、あらかじめ分離ローラ１１４と逆転ローラ１１５とでの遅れを相殺する速度に設定してある。このため、上流搬送ローラ１１７は、分離ローラ１１４と逆転ローラ１１５とでの遅れを取り戻して、略設定した原稿搬送速度で原稿を下流搬送ローラ１１９へ搬送する。
【００３６】
下流搬送ローラ１１９は、略設定した原稿搬送速度の周速で回転して、原稿を原稿読取部１２１へ搬送する。原稿エッジセンサ１２０が原稿の先端を検知すると、原稿エッジセンサ１２０から所定量搬送したところで原稿読取部１２１が原稿の読み取りを開始する。このときも原稿は、略設定した原稿搬送速度で搬送されている。
【００３７】
排紙ローラ１２４の周速は、設定した原稿搬送速度よりも僅かに速く設定してある。また、排紙ローラ１２４の搬送力は、下流搬送ローラ１１９よりも弱く設定してある。排紙ローラ１２４での原稿搬送が開始されると、下流搬送ローラ１１９と排紙ローラ１２４との僅かな周速差で原稿にテンションがかかり、原稿読取部１２１での読取にもっとも適した位置を原稿が搬送される。また、下流搬送ローラ１１９と排紙ローラ１２４での周速差が僅かであり、かつ、排紙ローラ１２４の搬送力は下流搬送ローラ１１９よりも弱く設定してあるので、原稿は略設定した原稿搬送速度で搬送される。原稿エッジセンサ１２０が原稿の後端を検知すると、原稿エッジセンサ１２０から所定量搬送したところで原稿読取部１２１は原稿の読み取りを終了する。
【００３８】
その後、原稿台１１１に原稿が複数枚セットされたときのピックアップローラ１１３によるピックアップ動作は、原稿台１１１に原稿が複数枚セットされて原稿有無センサ１１２が原稿を検知し、かつ原稿フィードセンサ１１６が原稿を検知していないときにおいて、ピックアップローラ１１３が原稿から離れた待機位置から不図示のアクチュエータによって、原稿に当接して回転することによって、行われる。このピックアップ動作は、原稿フィードセンサ１１６が原稿の後端を検知すると、繰り返される。
【００３９】
以上の一連の読み取り動作は、原稿有無センサ１１２が原稿を検知しなくなると終了する。
【００４０】
（シート搬送装置）
図２、図３、図４に基づいて、シート搬送装置１５０を説明する。
【００４１】
シート搬送装置１５０は、１対の搬送回転体である例えば分離ローラ１１４及び逆転ローラ１１５と、アース部材である例えばアース板５、回転軸である例えば分離ローラ軸１、分離ローラギア２、アイドラギア３、駆動軸である例えばアイドラ軸４等を備えている。分離ローラ軸１は、他の駆動機構から回転力を受けても回転することができるので、分離ローラギア２及びアイドラギア３、アイドラ軸４は、必ずしも必要としない。
【００４２】
分離ローラ軸１は分離ローラ１１４に駆動力を伝達するようになっている。分離ローラギア２は分離ローラ軸１に取り付けてある。アイドラギア３はアイドラ軸４に取り付けられてアイドラ軸４の回転力を分離ローラギア２に伝達するようになっている。アース板５は分離ローラ軸１に接触してアース線６を介して分離ローラ軸１をアースに落としている。フレーム７には、分離ローラ軸１、アイドラ軸４、アース板５、原稿有無センサ１１２、原稿フィードセンサ１１６等を設けてある。フレーム７の各部品の取り付け部とは逆側の面７ａ（図２参照）は、原稿を案内する案内路である例えば原稿搬送路９の片側の案内壁になっている。
【００４３】
アース板５はフレーム７のボス７ｂ，７ｃによって取り付け位置を決められて、フレーム７に設けてある。アース板５が分離ローラ軸１に接触する接触部には、半球状の突部５ａを突設してある。半球状の突部５ａをアース板５に突設することによって、アース板５が分離ローラ軸１に対して片当たりすることがなく、分離ローラ軸１の回転時に、分離ローラ軸１とアース板５との摺動音を低減することができる。
【００４４】
また、アース板５は導電性に優れた弾性板であり、分離ローラ軸１を図４の矢印の方向に押圧している。すなわち、アース板５は、分離ローラ１１４を逆転ローラ１１５に押圧する方向に分離ローラ軸１を押圧している。このため、原稿が、図２に示すピックアップローラ１１３によって搬送されて、分離ローラ１１４と逆転ローラ１１５とのニップに進入して、分離ローラ１１４が原稿によって押し上げられたとき、アース板５は、分離ローラ軸１に押されて、撓み、分離ローラ軸１に押圧力を加えて、分離ローラ１１４が原稿に確実に接触するようにしている。そして、原稿がニップを通過すると、アース板５は、分離ローラ軸１を押し返して、分離ローラ１１４を逆転ローラ１１５に圧接させる。したがって、原稿の後端がニップを抜けるときにフレーム７と軸受け８との間、軸受け８と分離ローラ軸１との間のガタによる異音、振動を発生しないようにすることができる。なお、軸受け８は、分離ローラ軸１を回転自在に支持している。
【００４５】
なお、アース板５は、導電性に優れた弾性板であるが、例えば、銅板、鋼板、鋼板と銅板とを張り合わせた合板等の金属板である。アース板５は、弾性を備えていなくても、ばね、スプリング、ゴム等の弾性部材に押圧されて、あるいは引っ張られて、分離ローラ軸１に圧接されていてもよい。この場合、ばね、スプリングをアース線として使用してもよい。また、ゴムの場合には、導電性を有するゴムを使用して、アース線として使用してもよい。
【００４６】
また、突部５ａは、１つでなく、複数突設してあってもよい。この場合、各突部５ａの押圧力を弱くして、複数トータルでの押圧力を保持する構成になるので、原稿の後端が分離ローラ１２９と逆転ローラ１３０とのニップを抜けるときに異音、振動が発生しないようにすることができる。
【００４７】
なお、アース板５に突部５ａを突設する代わりに、分離ローラ軸１の外周の回転方向に鍔状に突条を１つ、あるいは複数形成してもよい。
【００４８】
図４は、アース板５の側面、および分離ローラ軸１とアイドラ軸４との断面図である。
【００４９】
アース板５には、アイドラ軸４の溝４ａに係合する逆Ｕ字状に切り欠かれた引っ掛け片５ｂを形成してある。したがって、アイドラ軸４がアイドラギア３と分離ローラギア２とを介して分離ローラ軸１に回転力を伝達しているとき、溝４ａと引っ掛け片５ｂとの係合によって、アイドラ軸４がスラスト方向へ移動するのを規制して、アイドラ軸４のがた付きによる異音、振動の発生を防止することができる。
【００５０】
また、溝４ａと引っ掛け片５ｂとが、アイドラ軸４がスラスト方向へ移動するのを規制したとき、引っ掛け片５ｂの側面にアイドラ軸４が接触するため、アース板５は、アイドラ軸４の静電気をアースすることもできる。なお、溝４ａと引っ掛け片５ｂとによるアイドラ軸４のスラスト方向への移動を規制する構成は、規制手段の一例である。
【００５１】
以上説明したように、本実施形態のシート搬送装置１５０は、原稿を搬送する分離ローラ１１４及び逆転ローラ１１５と、分離ローラ１１４に駆動力を伝達する分離ローラ軸１と、分離ローラ軸１に取り付けた分離ローラギア２と、分離ローラギア２に回転力を伝達するアイドラギア３、及びアイドラ軸４と、分離ローラ軸１のアースを取るためのアース板５等を有して、さらに、分離ローラ１１４及び逆転ローラ１１５、分離ローラ軸１、及びアース板５を取り付けてあるフレーム７を有している。そして、アース板５は、原稿搬送時に分離ローラ軸１が受ける力に抗する方向に分離ローラ軸１を付勢するようになっている。また、アース板５には、アイドラ軸４の抜け止め用の引っ掛け片５ｂを設けてある。
【００５２】
本実施形態のシート搬送装置１５０は、このように構成されているので、原稿搬送時もアース板５により分離ローラ軸１を押さえることができて、分離ローラ１１４と逆転ローラ１１５とのニップをシートの先端と後端が通過したときに異音、振動がほとんど発生するようなことがない。また、アース板５にアイドラ軸４の抜け止め用の引っ掛け片５ｂを設けてあるので、アース板５を外してアイドラ軸４を分解するときに、工具が不必要である。また、アイドラ軸４、クレーム７をリサイクルしやすくなる。さらに、従来必要とした支持板が不必要になり、コストを下げることができる。
【００５３】
また、アース板５が分離ローラ軸１に接触する部分に、半球形状の突部５ａを設けたことによって、アース板５が分離ローラ軸１に対して片当たりすることがなくなり、アース板５と分離ローラ軸１との間の摺動音を小さくすることができる。
【００５４】
さらに、アース板５に上記突部５ａを複数設けると、接触する１つの突部５ａに対する押圧力を弱くすることができるため、突部５ａが１つの場合と比較すると、アース板５と分離ローラ軸１との間の摺動音をさらに低くすることができる。
【００５５】
また、フレーム７が原稿搬送路９の片側の側壁を兼ねることによって無駄な部品を作ることなくシート搬送装置のコストを下げることができる。
【００５６】
【発明の効果】
本発明のシート搬送装置は、回転軸をアース部材で押圧してその回転軸に設けた搬送回転体を他方の搬送回転体に押圧する方向に押圧しているので、１対の搬送回転体の間をシートが通過するとき、シートの厚み分だけ搬送回転体が押されて移動するようなことがあっても、従来よりも、異音、振動を小さくすることができる。しかも、回転軸を確実にアースして、電気的ノイズを少なくすることができる。
【００５７】
本発明のシート搬送装置は、規制手段によって駆動軸がスラスト方向へ移動するのを規制しているので、駆動軸の移動による異音、振動を小さくすることができる。さらに、アース部材を外して駆動軸を分解するときに、工具が不必要である。また、リサイクルしやすくなる。さらに、従来必要とした支持板が不必要になり、コストを下げることができる。
【００５８】
本発明のシート搬送装置は、フレームがシートを案内する案内路の片側の案内壁を有しているので、無駄な部品を作ることなくシート搬送装置のコストを下げることができる。
【００５９】
本発明のシート搬送装置は、アース部材が回転軸に接触する部分に、半球形状の突部を設けると、アース部材が回転軸に対して片当たりすることがなくなり、アース部材と回転軸との間の摺動音を小さくすることができる。
【００６０】
本発明のシート搬送装置は、アース部材に突部を複数設けると、１つの突部に対する押圧力を弱くすることができて、突部が１つの場合と比較すると、アース部材と回転軸との間の摺動音をさらに小さくすることができる。
【図面の簡単な説明】
【図１】本発明の実施形態のシート搬送装置を備えた画像読取装置である例えばファクシミリのシート搬送方向に沿った断面図である。
【図２】図１のファクシミリの画像読取部のシート搬送方向に沿った断面図である。
【図３】図１のファクシミリに組み込まれた、本発明の実施形態のシート搬送装置の平面図である。
【図４】アース板の側面図、および分離ローラ軸とアイドラ軸との断面図である。
【符号の説明】
Ｄ　　　原稿（シート）
Ｐ　　　被記録紙（シート）
１　　　分離ローラ軸（回転軸）
４　　　アイドラ軸（駆動軸）
４ａ　　溝（規制手段）
５　　　アース板（アース部材）
５ａ　　突部
５ｂ　　引っ掛け片（規制手段）
６　　　アース線
７　　　フレーム
７ａ　　各部品の取り付け部とは逆側の面（案内壁）
９　　　原稿搬送路（案内路）
１００　　　ファクシミリ（画像読取装置）
１０１　　　ファクシミリ装置本体
１０２　　　画像読取部
１０３　　　画像形成部
１０４　　　カセット給紙部
１１３　　　ピックアップローラ
１１４　　　分離ローラ（搬送回転体）
１１５　　　逆転ローラ（搬送回転体）
１２１　　　原稿読取部（画像読取手段）
１５０　　　シート搬送装置
【図１】
2004115165.tif 000003
【図２】
2004115165.tif 000004
【図３】
2004115165.tif 000005
【図４】
2004115165.tif 000006